(57)【要約】【課題】ソーラーパネルの発電電力をアクセサリーソケットに供給する際、大容量コンデンサを設けることなく、ソケット接続された機器の消費電力に変動が生じても供給電圧を一定に保てる、ソーラー発電システムを提供する。【解決手段】ソーラーパネル及び補機バッテリーからアクセサリーソケットへの電力供給を制御する電力供給装置を備える。電力供給装置は、ソーラーパネルの発電電力が機器の消費電力よりも多い場合は、ソーラーパネルからアクセサリーソケットへ消費電力分の電力を供給し、かつ、ソーラーパネルから補機バッテリーへ消費電力分を超える余剰電力を供給し、ソーラーパネルの発電電力が機器の消費電力よりも少ない場合は、ソーラーパネルからアクセサリーソケットへ発電電力を供給し、かつ、補機バッテリーからアクセサリーソケットへ機器の消費電力に満たずに不足する電力を供給する。【選択図】図１
2019093964.tif 000002
【特許請求の範囲】
【請求項１】
車両に搭載されるソーラー発電システムであって、
太陽光で発電するソーラーパネルと、
充放電可能な補機バッテリーと、
所定の機器が接続されるアクセサリーソケットと、
前記ソーラーパネル及び前記補機バッテリーから前記アクセサリーソケットへの電力供給を制御する電力供給装置と、を備え、
前記電力供給装置は、
前記ソーラーパネルの発電電力が前記機器の消費電力よりも多い場合は、前記ソーラーパネルから前記アクセサリーソケットへ消費電力分の電力を供給し、かつ、前記ソーラーパネルから前記補機バッテリーへ消費電力分を超える余剰電力を供給し、
前記ソーラーパネルの発電電力が前記機器の消費電力よりも少ない場合は、前記ソーラーパネルから前記アクセサリーソケットへ発電電力を供給し、かつ、前記補機バッテリーから前記アクセサリーソケットへ前記機器の消費電力に満たずに不足する電力を供給する、
ソーラー発電システム。
【請求項２】
前記電力供給装置は、
前記補機バッテリーの流入電流及び流出電流を監視し、
前記流出電流よりも前記流入電流が多い場合には、前記ソーラーパネルで発電される電力を減少させ、
前記流出電流よりも前記流入電流が少ない場合には、前記ソーラーパネルで発電される電力を増加させる、
請求項１に記載のソーラー発電システム。
【発明の詳細な説明】
【技術分野】
【０００１】
本発明は、車両に搭載されるソーラー発電システムに関する。
【背景技術】
【０００２】
例えば、特許文献１に、太陽光発電装置を搭載したソーラー発電システムが開示されている。
【先行技術文献】
【特許文献】
【０００３】
【特許文献１】特開２０１４−２１３８４３号公報
【発明の概要】
【発明が解決しようとする課題】
【０００４】
ソーラーパネルの発電電力をアクセサリーソケットに供給する場合、ソケットに接続された機器の消費電力に変動があっても供給電圧をほぼ一定に保てるように、大容量のコンデンサを設ける必要がある。このため、システムのコストが高くなる。
【０００５】
本発明は、上記課題を鑑みてなされたものであり、ソーラーパネルの発電電力をアクセサリーソケットに供給する際、大容量のコンデンサを設けることなく、アクセサリーソケットに接続された機器による消費電力に変動が生じても供給電圧をほぼ一定に保つことができる、ソーラー発電システムを提供することを目的とする。
【課題を解決するための手段】
【０００６】
上記課題を解決するために、本発明の一態様は、車両に搭載されるソーラー発電システムであって、太陽光で発電するソーラーパネルと、充放電可能な補機バッテリーと、所定の機器が接続されるアクセサリーソケットと、ソーラーパネル及び補機バッテリーからアクセサリーソケットへの電力供給を制御する電力供給装置と、を備え、電力供給装置は、ソーラーパネルの発電電力が機器の消費電力よりも多い場合は、ソーラーパネルからアクセサリーソケットへ消費電力分の電力を供給し、かつ、ソーラーパネルから補機バッテリーへ消費電力分を超える余剰電力を供給し、ソーラーパネルの発電電力が機器の消費電力よりも少ない場合は、ソーラーパネルからアクセサリーソケットへ発電電力を供給し、かつ、補機バッテリーからアクセサリーソケットへ機器の消費電力に満たずに不足する電力を供給する、ことを特徴とする。
【０００７】
この一態様のソーラー発電システムによれば、ソーラーパネルの発電電力が機器の消費電力よりも多い場合には、ソーラーパネルだけからアクセサリーソケットへ電力を供給し、ソーラーパネルの発電電力が機器の消費電力よりも少ない場合には、補機バッテリーからもアクセサリーソケットへ電力を供給する。
【０００８】
この制御により、ソーラーパネルの発電電力を利用して、アクセサリーソケットへ常に安定した電力及び電圧を供給することができる。
【０００９】
また、この一態様において、電力供給装置は、補機バッテリーの流入電流及び流出電流を監視し、流出電流よりも流入電流が多い場合には、ソーラーパネルで発電される電力を減少させ、流出電流よりも流入電流が少ない場合には、ソーラーパネルで発電される電力を増加させてもよい。
【００１０】
この制御により、補機バッテリーの蓄電量を予め定めたほぼ一定の蓄電量に保つことができる。
【発明の効果】
【００１１】
上記本発明のソーラー発電システムは、ソーラーパネルの発電電力をアクセサリーソケットに供給する際、大容量のコンデンサを設けることなく、アクセサリーソケットに接続された機器による消費電力に変動が生じても供給電圧をほぼ一定に保つことができる。
【図面の簡単な説明】
【００１２】
【図１】本発明の第１の実施形態に係るソーラー発電システムの概略図
【図２Ａ】特定の車両状態におけるソーラー発電システムの給電経路を説明する図
【図２Ｂ】特定の車両状態におけるソーラー発電システムの給電経路を説明する図
【図２Ｃ】特定の車両状態におけるソーラー発電システムの給電経路を説明する図
【図３】本発明の第２の実施形態に係るソーラー発電システムの概略図
【図４Ａ】補機バッテリーの入出力電流値に基づくソーラーパネルの発電電力制御を説明する図
【図４Ｂ】補機バッテリーの入出力電流値に基づくソーラーパネルの発電電力制御を説明する図
【図４Ｃ】補機バッテリーの入出力電流値に基づくソーラーパネルの発電電力制御を説明する図
【図５Ａ】本発明の他の実施形態に係るソーラー発電システムの概略図
【図５Ｂ】本発明の他の実施形態に係るソーラー発電システムの概略図
【発明を実施するための形態】
【００１３】
［概要］
本実施形態に係るソーラー発電システムは、アクセサリーソケットを備える車両に搭載される。本ソーラー発電システムでは、ソーラーパネルの発電電力がアクセサリーソケットに接続される機器の消費電力よりも多い場合には、ソーラーパネルだけからアクセサリーソケットへ電力を供給し、ソーラーパネルの発電電力が当該機器の消費電力よりも少ない場合には、補機バッテリーからもアクセサリーソケットへ電力を供給する。この制御により、ソーラーパネルの発電電力を利用して、アクセサリーソケットへ常に安定した電力及び電圧を供給することができる。
【００１４】
［第１の実施形態］
＜システム構成＞
図１は、本発明の第１の実施形態に係るソーラー発電システム１の構成を示す概略図である。図１に示すソーラー発電システム１は、ソーラーパネル１０と、電力供給装置２０と、補機バッテリー３０と、アクセサリーソケット４０と、を備えている。
【００１５】
ソーラーパネル１０は、太陽光の照射を受けて発電を行う太陽電池モジュールである。ソーラーパネル１０で発電された電力は、電力供給装置２０に出力される。このソーラーパネル１０は、例えば車両のルーフなどに設置することができる。
【００１６】
電力供給装置２０は、ソーラーパネル１０及び補機バッテリー３０からアクセサリーソケット４０への電力供給を制御する電子制御ユニット（ＥＣＵ：Electronic Control Unit）である。この電力供給装置２０は、制御部２１、ＤＣＤＣコンバーター２２、第１の整流器Ｄ１、第２の整流器Ｄ２、第３の整流器Ｄ３、第１のスイッチＳＷ１、第２のスイッチＳＷ２、及び第３のスイッチＳＷ３、を備えている。
【００１７】
制御部２１は、ＤＣＤＣコンバーター２２を介してソーラーパネル１０の発電電力を取得する。また、制御部２１は、車両が走行中（例えばＲｅａｄｙ−ＯＮ）か停車中（例えばＲｅａｄｙ−ＯＦＦ）かを表す情報を含む車両情報を、図示しない車載装置から取得する。そして、制御部２１は、発電電力及び車両情報に基づいて、ＤＣＤＣコンバーター２２、第１のスイッチＳＷ１、第２のスイッチＳＷ２、及び第３のスイッチＳＷ３を制御する。なお、図１では、制御部２１が第１のスイッチＳＷ１、第２のスイッチＳＷ２、及び第３のスイッチＳＷ３を制御するための信号線を省略している。
【００１８】
この制御部２１は、典型的には、ＣＰＵ（Central Processing Unit）、メモリ、及び入出力インターフェースなどを含んで構成され、メモリに格納されたプログラムをＣＰＵが読み出して実行することによって所定の機能が実現される。
【００１９】
ＤＣＤＣコンバーター２２は、ソーラーパネル１０の発電電力を入力し、制御部２１の指示に基づいて発電電力を所定の電力に変換して、アクセサリーソケット４０や補機バッテリー３０へ供給できるように構成されている。このＤＣＤＣコンバーター２２は、周知の最大電力点追従（ＭＰＰＴ：Maximum Power Point Tracking）制御を用いて、ソーラーパネル１０の動作点を設定することができる。
【００２０】
第１の整流器Ｄ１、第２の整流器Ｄ２、及び第３の整流器Ｄ３は、例えばダイオードなどであって、整流作用を有する素子である。第１の整流器Ｄ１は、ＤＣＤＣコンバーター２２から補機バッテリー３０の方向へ整流するように設けられる。第２の整流器Ｄ２は、ＤＣＤＣコンバーター２２からアクセサリーソケット４０の方向へ整流するように設けられる。第３の整流器Ｄ３は、補機バッテリー３０からアクセサリーソケット４０の方向へ整流するように設けられる。
【００２１】
第１のスイッチＳＷ１、第２のスイッチＳＷ２、及び第３のスイッチＳＷ３は、例えば半導体リレーなどであって、制御部２１の指示に基づいて導通状態／非導通状態を切り替えることができる素子である。第１のスイッチＳＷ１は、ＤＣＤＣコンバーター２２と補機バッテリー３０との間に挿入される。第２のスイッチＳＷ２は、ＤＣＤＣコンバーター２２とアクセサリーソケット４０との間に挿入される。第３のスイッチＳＷ３は、補機バッテリー３０とアクセサリーソケット４０との間に挿入される。
【００２２】
補機バッテリー３０は、例えば鉛蓄電池などの充放電可能に構成された電力貯蔵要素である。この補機バッテリー３０は、電力供給装置２０から供給される電力によって充電可能に電力供給装置２０と接続されている。また、補機バッテリー３０は、自ら蓄えている電力を電力供給装置２０を介してアクセサリーソケット４０へ供給可能に、電力供給装置２０と接続されている。
【００２３】
アクセサリーソケット４０は、例えばシガーソケットなどであって、ソケットに接続された電装品などの機器（図示せず）へ電力を供給することができる電源取り出し口である。アクセサリーソケット４０で消費される電力は、ソケットに接続される機器の数や動作状態などに応じて変動する。
【００２４】
＜システム制御＞
次に、図２Ａ、図２Ｂ、及び図２Ｃをさらに参照して、本発明の第１の実施形態に係るソーラー発電システム１の電力供給装置２０が実行する制御を説明する。図２Ａ、図２Ｂ、及び図２Ｃは、それぞれ、特定の車両状態におけるソーラー発電システム１の給電経路を説明する図である。
【００２５】
１．車両走行中かつ発電電力がある場合（状態１）
この状態１の場合、図２Ａのように、電力供給装置２０は、第１のスイッチＳＷ１、第２のスイッチＳＷ２、及び第３のスイッチＳＷ３を、全て導通状態に制御する。これにより、ソーラーパネル１０からアクセサリーソケット４０への電力供給が可能となる。
【００２６】
ソーラーパネル１０の発電電力がアクセサリーソケット４０に接続された機器の消費電力よりも多い場合には、ソーラーパネル１０からアクセサリーソケット４０へ消費電力分の電力を第２の整流器Ｄ２を介して供給する（給電経路Ｂ）と共に、ソーラーパネル１０から補機バッテリー３０へ消費電力分を超える余剰電力を第１の整流器Ｄ１を介して供給する（給電経路Ａ）。一方、ソーラーパネル１０の発電電力が機器の消費電力よりも少ない場合には、ソーラーパネル１０からアクセサリーソケット４０へ発電電力を第２の整流器Ｄ２を介して供給する（給電経路Ｂ）と共に、補機バッテリー３０からアクセサリーソケット４０へ機器の消費電力に満たずに不足する電力を第３の整流器Ｄ３を介して供給する（給電経路Ｃ）。
【００２７】
この制御では、第１のスイッチＳＷ１の導通によって第１の整流器Ｄ１に電流が流れ、ＤＣＤＣコンバーター２２の出力電圧が補機バッテリー３０の電圧とほぼ同じレベルになる。これにより、アクセサリーソケット４０に接続された機器に対して補機バッテリー３０と同等の電圧を安定して出力することができる。また、ＤＣＤＣコンバーター２２が実行している最大電力点追従制御に与える影響を抑えることができる。
【００２８】
また、この制御では、アクセサリーソケット４０に接続された機器による消費電流の変動を、ＤＣＤＣコンバーター２２の出力電力が一定になるように補機バッテリー３０の充放電行為によって吸収する。これにより、アクセサリーソケット４０の端子電圧をほぼ一定に保つことができるので、大容量のコンデンサを設ける必要がなくなる。また、ＤＣＤＣコンバーター２２が実行している最大電力点追従制御に与える影響を抑えることができる。
【００２９】
なお、ソーラーパネル１０の発電電力がアクセサリーソケット４０に接続された機器の消費電力よりも多い場合には、給電経路Ｃを使用しないため、第３のスイッチＳＷ３を非導通状態に制御してもよい。
【００３０】
２．車両走行中かつ発電電力がない場合（状態２）
この状態２の場合、図２Ｂのように、電力供給装置２０は、第１のスイッチＳＷ１及び第２のスイッチＳＷ２を非導通状態に、第３のスイッチＳＷ３を導通状態に、それぞれ制御する。これにより、補機バッテリー３０からアクセサリーソケット４０への電力供給だけが可能となる。
【００３１】
この制御では、ソーラーパネル１０の発電電力が全くない又はあったとしても電力供給に値しない電力量である場合には、ソーラーパネル１０から補機バッテリー３０及びアクセサリーソケット４０への給電経路Ａ及び給電経路Ｂを遮断する。電力供給に値しない電力量とは、例えば、ＤＣＤＣコンバーター２２を作動させるために必要な電力を下回るような発電電力量をいう。また、ソーラーパネル１０からアクセサリーソケット４０への給電がなかったとしても、アクセサリーソケット４０を利用できるようにするため、補機バッテリー３０からアクセサリーソケット４０への給電経路Ｃによる電力供給を行う。
【００３２】
なお、この状態２の場合には、ＤＣＤＣコンバーター２２は電力を出力する必要がないため、ＤＣＤＣコンバーター２２の動作を停止して無駄な電力の消費を防いでもよい。
【００３３】
３．車両停止中かつ発電電力がある場合（状態３）
この状態３の場合も、上述した状態１の場合と同様に、電力供給装置２０は、第１のスイッチＳＷ１、第２のスイッチＳＷ２、及び第３のスイッチＳＷ３を、全て導通状態に制御する（図２Ａを参照）。これにより、ソーラーパネル１０からアクセサリーソケット４０への電力供給が可能となる。
【００３４】
４．車両停止中かつ発電電力がない場合（状態４）
この状態４の場合、図２Ｃのように、電力供給装置２０は、第１のスイッチＳＷ１、第２のスイッチＳＷ２、及び第３のスイッチＳＷ３を、全て非導通状態に制御する。これにより、ソーラーパネル１０からアクセサリーソケット４０への電力供給も、補機バッテリー３０からアクセサリーソケット４０への電力供給も、共に不可能となる。
【００３５】
この制御では、ソーラーパネル１０やオルタネーター（図示せず）などによって新たな電力が発生していない状態で、補機バッテリー３０からアクセサリーソケット４０への電力供給が行われて補機バッテリー３０の蓄電量が下限値まで低下する（バッテリー上がり）ことを防ぐために、補機バッテリー３０からアクセサリーソケット４０への給電経路Ｃを遮断する。
【００３６】
＜本実施形態における作用・効果＞
上述した本発明の第１の実施形態に係るソーラー発電システム１によれば、ソーラーパネル１０の発電電力が機器の消費電力よりも多い場合には、ソーラーパネル１０だけからアクセサリーソケット４０へ電力を供給し、ソーラーパネル１０の発電電力が機器の消費電力よりも少ない場合には、補機バッテリー３０からもアクセサリーソケット４０へ電力を供給する。
【００３７】
この制御により、アクセサリーソケット４０へは、ソーラーパネル１０の発電電力を利用して常に安定した電力（電圧）を供給することができる。従って、ソーラーパネル１０の発電電力をアクセサリーソケット４０に供給する場合、大容量のコンデンサを設けることなく、アクセサリーソケット４０に接続された機器による消費電力に変動が生じても供給電圧をほぼ一定に保つことができる。
【００３８】
［第２の実施形態］
上述した第１の実施形態に係るソーラー発電システム１では、アクセサリーソケット４０へ安定した電力を供給するために、ソーラーパネル１０から補機バッテリー３０への電力供給や補機バッテリー３０からアクセサリーソケット４０への電力供給が行われる。このため、補機バッテリー３０の蓄電量（ＳＯＣ）が必要以上に増減してしまうこともあり得る。
【００３９】
そこで、本第２の実施形態では、アクセサリーソケット４０へ安定した電力を供給できると共に、補機バッテリー３０の蓄電量（ＳＯＣ）をほぼ一定に保つことができるソーラー発電システムを説明する。
【００４０】
＜システム構成＞
図３は、本発明の第２の実施形態に係るソーラー発電システム２の構成を示す概略図である。図３に示すソーラー発電システム２は、ソーラーパネル１０と、電力供給装置５０と、補機バッテリー３０と、アクセサリーソケット４０と、を備えている。
【００４１】
本第２の実施形態に係るソーラー発電システム２は、上述した第１の実施形態に係るソーラー発電システム１と比べて、電力供給装置５０の構成が異なる。以下、この異なる電力供給装置５０を中心に、第２の実施形態に係るソーラー発電システム２の説明を行う。なお、ソーラー発電システム１と同一の参照符号を付したソーラー発電システム２の構成は、同じ構成であるためその説明を省略する。
【００４２】
電力供給装置５０は、ソーラーパネル１０及び補機バッテリー３０からアクセサリーソケット４０への電力供給を制御する電子制御ユニット（ＥＣＵ）である。この電力供給装置５０は、制御部５１、電流センサー５２、ＤＣＤＣコンバーター２２、第１の整流器Ｄ１、第２の整流器Ｄ２、及び第３の整流器Ｄ３、を備えている。
【００４３】
電流センサー５２は、補機バッテリー３０へ流入する入力電流Ｉin及び補機バッテリー３０から流出する出力電流Ｉoutを、計測することができる。そして、電流センサー５２は、計測した入力電流Ｉin及び出力電流Ｉoutを、制御部５１へ出力する。
【００４４】
制御部５１は、ＤＣＤＣコンバーター２２を介してソーラーパネル１０の発電電力を取得する。また、制御部５１は、電流センサー５２で計測される入力電流Ｉin及び出力電流Ｉoutを取得し、所定の時間分を積算して得られる入出力電流値Ｉtotal（＝Σ入力電流Ｉin−Σ出力電流Ｉout）を算出する。そして、制御部５１は、発電電力及び入出力電流値Ｉtotalに基づいて、ＤＣＤＣコンバーター２２を制御する。なお、図３では、制御部５１が電流センサー５２から電流値を取得するための信号線を省略している。
【００４５】
この制御部５１は、典型的には、ＣＰＵ、メモリ、及び入出力インターフェースなどを含んで構成され、メモリに格納されたプログラムをＣＰＵが読み出して実行することによって所定の機能が実現される。
【００４６】
＜システム制御＞
次に、図４Ａ、図４Ｂ、及び図４Ｃをさらに参照して、本発明の第２の実施形態に係るソーラー発電システム２の電力供給装置５０が実行する制御を説明する。図４Ａ、図４Ｂ、及び図４Ｃは、それぞれ、補機バッテリー３０の入出力電流値Ｉtotalに基づく、ソーラーパネル１０における発電電力の制御を説明する図である。
【００４７】
１．入出力電流値Ｉtotalがゼロの場合
この場合は、図４Ａのように、入力電流Ｉinと出力電流Ｉoutとが同じ大きさで相殺しており、補機バッテリー３０へ流入する電流も流出する電流も生じていないため、補機バッテリー３０の蓄電量（ＳＯＣ）は変化しない。よって、ソーラーパネル１０で発電している電力量を維持するように、制御部５１がＤＣＤＣコンバーター２２を制御する。これにより、補機バッテリー３０の蓄電量（ＳＯＣ）を現在の蓄電量のままで保つことができる。
【００４８】
２．入出力電流値Ｉtotalがプラスの場合
この場合は、図４Ｂのように、ＤＣＤＣコンバーター２２から補機バッテリー３０へ入力電流Ｉinが流れているため、補機バッテリー３０の蓄電量（ＳＯＣ）が増加する方向へ変化する。よって、ソーラーパネル１０で発電している電力量を減少させて余剰電力がなくなるように、制御部５１がＤＣＤＣコンバーター２２を制御する。具体的には、ソーラーパネル１０の発電電力がアクセサリーソケット４０に接続された機器の消費電力よりも少なくなるように制御する。この制御により、入力電流Ｉinが徐々に低下していき、いずれは出力電流Ｉoutと釣り合うことになるため、補機バッテリー３０の蓄電量（ＳＯＣ）が必要以上に低下してしまうことを防ぐことができる。
【００４９】
３．入出力電流値Ｉtotalがマイナスの場合
この場合は、図４Ｃのように、補機バッテリー３０からアクセサリーソケット４０へ出力電流Ｉoutが流れているため、補機バッテリー３０の蓄電量（ＳＯＣ）が減少する方向へ変化する。よって、ソーラーパネル１０で発電している電力量を増加させて余剰電力が生じるように、制御部５１がＤＣＤＣコンバーター２２を制御する。具体的には、ソーラーパネル１０の発電電力がアクセサリーソケット４０に接続された機器の消費電力よりも多くなるように制御する。この制御により、出力電流Ｉoutが徐々に低下していき、いずれは入力電流Ｉinと釣り合うことになるため、補機バッテリー３０の蓄電量（ＳＯＣ）が必要以上に増加してしまうことを防ぐことができる。
【００５０】
＜本実施形態における作用・効果＞
上述した本発明の第２の実施形態に係るソーラー発電システム２によれば、補機バッテリー３０へ電流が流入している場合（入出力電流値Ｉtotalがプラス）には、ソーラーパネル１０で発電している電力量を減少させ、補機バッテリー３０から電流が流出している場合（入出力電流値Ｉtotalがマイナス）には、ソーラーパネル１０で発電している電力量を増加させる。
【００５１】
この制御により、補機バッテリー３０に関する入力電流Ｉinと出力電流Ｉoutとが相殺する方向にソーラーパネル１０の発電電力が調整される。よって、補機バッテリー３０の蓄電量（ＳＯＣ）を必要以上に増減することなく、予め定めたほぼ一定の蓄電量に保つことができる。
【００５２】
なお、上記説明では、補機バッテリー３０の入出力電流を計測する電流センサー５２を用いたが、補機バッテリー３０への入出力電力を計測する電力センサーを用いても制御可能である。また、補機バッテリー３０への入出力電流値Ｉtotalは、図５Ａや図５Ｂに示す箇所に電流センサー５２を複数挿入し、各計測値の演算によって求めてもよい。
【００５３】
［他の実施形態］
上記第２の実施形態に係るソーラー発電システム２の構成に、上記第１の実施形態に係るソーラー発電システム１における第１のスイッチＳＷ１、第２のスイッチＳＷ２、及び第３のスイッチＳＷ３を設け、制御部５１が車両情報を取得できるようにしてもよい。このように構成したソーラー発電システムの場合、第１の実施形態で説明した「車両走行中かつ発電電力がある場合（状態１）」及び「車両停止中かつ発電電力がある場合（状態３）」において、第２の実施形態で説明したソーラーパネル１０の発電電力制御を実施することができる。
【産業上の利用可能性】
【００５４】
本発明のソーラー発電システムは、アクセサリーソケットを備える車両などに利用可能である。
【符号の説明】
【００５５】
１、２  ソーラー発電システム
１０  ソーラーパネル
２０、５０  電力供給装置
２１、５１  制御部
２２  ＤＣＤＣコンバーター
３０  補機バッテリー
４０  アクセサリーソケット
５２  電流センサー
Ｄ１、Ｄ２、Ｄ３  整流器
ＳＷ１、ＳＷ２、ＳＷ３  スイッチ
【図１】
2019093964.tif 000003
【図２Ａ】
2019093964.tif 000004
【図２Ｂ】
2019093964.tif 000005
【図２Ｃ】
2019093964.tif 000006
【図３】
2019093964.tif 000007
【図４Ａ】
2019093964.tif 000008
【図４Ｂ】
2019093964.tif 000009
【図４Ｃ】
2019093964.tif 000010
【図５Ａ】
2019093964.tif 000011
【図５Ｂ】
2019093964.tif 000012